(57)【特許請求の範囲】
【請求項１】
下水道管渠用枡の排水口に接続される取付け管内に挿入設置され、該取付け管の内径よりも小径の外径の短い直円筒体を基体とし、該直円筒体の前端及び後端の上半分は管軸に対して直交して切頭されるとともに後端の下半分は管軸に斜めに切頭され、かつ、該直円筒体の後端には前記下水道管渠用枡の排水口に係合する係止部が一体に配され、該直円筒体の内部に常時において弾性をもって押圧付勢し流水の流下のみを許す閉弁付勢手段を備えた弁体が付加されてなる防臭装置において、
前記円筒体の前端より後端の下半分に至る長さにわたって該円筒体の外周に、前記取付け管との隙間を塞ぐ円環状のスペーサ体が嵌合装着され、
前記スペーサ体は、柔軟で容易に圧縮を受け、かつ水密性のスポンジ素材よりなる本体部と、該本体部の内部に成形される内腔部とからなり、
前記本体部の内周面については、内周径が前記円筒体の軸芯と一致するとともに該円筒体の外径に等しく、
前記本体部の外周面については、後端において取付け管の径よりも大きな直径を有し、その中心を上方に偏心され、該外周面の径は、後端より前端に至るにつれ変化して変断面形状をなすテーパー状を採り、かつ、
(i) 下端部は前記内周径に対して等厚を保ち、
(ii)その余の部位は後端より前端に至るにつれ漸次縮径され、
前記内腔部は、前記本体部の後端面より前記本体部の外周面に対応する外周径をもって凹陥状に凹設されてなる、
ことを特徴とするスペーサ体付き下水道管渠用防臭装置。
【請求項２】
下水道管渠用枡の排水口に接続される取付け管内に挿入設置され、該取付け管の内径よりも小径の外径の短い直円筒体を基体とし、該直円筒体の前端及び後端の上半分は管軸に対して直交して切頭されるとともに後端の下半分は管軸に斜めに切頭され、かつ、該直円筒体の後端には前記下水道管渠用枡の排水口に係合する係止部が一体に配され、該直円筒体の内部に常時において弾性をもって押圧付勢し流水の流下のみを許す閉弁付勢手段を備えた弁体が付加されてなる防臭装置において、
前記円筒体の前端より後端の下半分に至る長さにわたって該円筒体の外周に、前記取付け管との隙間を塞ぐ円環状のスペーサ体が嵌合装着され、
前記スペーサ体は、柔軟で容易に圧縮を受け、かつ水密性のスポンジ素材よりなり、
前記スペーサ体の内周径は、前記円筒体の軸芯と一致するとともに該円筒体の外径に等しく、
前記スペーサ体の外周面は、後端において取付け管の径よりも大きな直径を有し、その中心を上方に偏心され、該外周面の径は、後端より前端に至るにつれ変化して変断面形状をなすテーパー状を採り、かつ、
(i) 下端部は前記内周径に対して等厚を保ち、
(ii)その余の部位は後端より前端に至るにつれ漸次縮径され、
該外周面には、軸方向に平行する複数の溝が周方向に凹設されてなる、
ことを特徴とするスペーサ体付き下水道管渠用防臭装置。
【発明の詳細な説明】
【技術分野】
【０００１】
この発明は、下水道管管渠における管渠用設備の雨水・汚水枡等の管渠用枡に適用される防臭装置に関し、更に詳しくは、当該管渠用枡の取付け管に装着される防臭装置に関し、特には、スペーサ体付き下水道管渠用防臭装置に関する。
【背景技術】
【０００２】
本出願人らは、先に、この種の下水道管渠用枡における取付け管に挿入設置される防臭装置につき、特開２００７−１２６９５８（以下、先行技術という。）により、下水道管渠用枡からの流水の流下を許し、その閉弁作用により下水道管渠からの臭気を防止する提案をなした。
すなわち、当該先行技術においては、取付け管内に挿入される円筒体を基体とし、該円筒体本体内にピン、ヒンジ回りに開閉する開閉枢着式開閉弁を備え、該円筒体本体の後部には枡体の管口との係合をなす係合部を設け、前部の外周には取付け管への挿入作用の容易性を図る案内環を被嵌させるものである。
更に、当該先行技術の防臭装置において、円筒体本体の外周に、取付け管との間隙を閉塞し水密・気密をなす円環状のスペーサ体（当該文献ではスペーサ環）が被嵌される。しかして、このスペーサ体は、円周方向に同一厚さを採るものであり、流水滞留の要因となり、流水の円滑な流下作用に支障を及ぼす不具合が生じる。
【発明の開示】
【発明が解決しようとする課題】
【０００３】
本発明は上記実情に鑑みなされたものであり、この種の下水道管渠用枡における取付け管に挿入設置される防臭装置において、当該防臭装置の取付け操作の円滑化を図るとともに、滞留を起こさず、かつ流水の円滑な流下をなすことのできる新規な下水道管渠用防臭装置に適用されるスペーサ体を得ることを目的とする。
本発明はこのため、当該防臭装置に嵌着されるスペーサ体の形状を工夫することにより、流水部の円筒体を取付け管の下底に接近させることがこの目的を達成し得るとの知見に基づいてなされたものである。また、柔軟で容易に圧縮を受け、かつ水密性をなす素材の適用もこの知見に寄与するものである。
【課題を解決するための手段】
【０００４】
本発明は上記目的を達成するため、具体的に以下の構成を採る。
本発明の第１はスペーサ体付き下水道管渠用防臭装置に係り（以下「第１発明」という）、請求項１に記載のとおり、
下水道管渠用枡の排水口に接続される取付け管内に挿入設置され、該取付け管の内径よりも小径の外径の短い直円筒体を基体とし、該直円筒体の前端及び後端の上半分は管軸に対して直交して切頭されるとともに後端の下半分は管軸に斜めに切頭され、かつ、該直円筒体の後端には前記下水道管渠用枡の排水口に係合する係止部が一体に配され、該直円筒体の内部に常時において弾性をもって押圧付勢し流水の流下のみを許す閉弁付勢手段を備えた弁体が付加されてなる防臭装置において、
前記円筒体の前端より後端の下半分に至る長さにわたって該円筒体の外周に、前記取付け管との隙間を塞ぐ円環状のスペーサ体が嵌合装着され、
前記スペーサ体は、柔軟で容易に圧縮を受け、かつ水密性のスポンジ素材よりなる本体部と、該本体部の内部に成形される内腔部とからなり、
前記本体部の内周面については、内周径が前記円筒体の軸芯と一致するとともに該円筒体の外径に等しく、
前記本体部の外周面については、後端において取付け管の径よりも大きな直径を有し、その中心を上方に偏心され、該外周面の径は、後端より前端に至るにつれ変化して変断面形状をなすテーパー状を採り、かつ、
(i) 下端部は前記内周径に対して等厚を保ち、
(ii)その余の部位は後端より前端に至るにつれ漸次縮径され、
前記内腔部は、前記本体部の後端面より前記本体部の外周面に対応する外周径をもって凹陥状に凹設されてなる、
ことを特徴とする。
本第１発明は以下の第１実施形態に具体的に示される。
上記構成において、
１．本体部の素材はスポンジ態様が採用され、特にはＥＰＤＭスポンジが採用されること、
２．内腔部は周方向にはぼ半円を超えて形成されること、
３．内腔部には、該内腔部の前後長に等しい幅で、該内腔部の一部の空間を占め、柔軟で容易に圧縮を受け、かつ水密性素材よりなる介装体が適宜介装されること、
は適宜採択される技術的事項である。
【０００５】
（作用）
装着操作
本スペーサ体Ｔを装着した下水道管渠用防臭装置を下水道管渠用枡の取付け管内へ挿入し、該防臭装置の本体部の押込みにより、当該スペーサ体Ｔの本体部１の径方向断面の大部分は取付け管の断面よりも大きいので、取付け管の内壁との弾圧作用により本体部１は縮径作用を受ける。
内腔部２によりこの縮径作用は円滑になされる。
また、外側面１ａの円形断面は上方に偏心したものとなっているので、上方から下方への圧縮作用がなされる。
内腔部２も同じく上方部位の空間が大きくなっているので、この作用を促進させる。
本体部１の弾性圧縮は内腔部２の空間を閉塞し、更にはそれ自体のスポンジ態様により一定の抗力を保持しつつ体積収縮をなす。
この結果、防臭装置の本体部はスペーサ体Ｔを介して取付け管内で下方へ押し付けられ、取付け管との隙間は密封状に閉塞される。
閉弁作用・防臭作用
本防臭装置は傾斜角度をなす取付け管内に所定の状態で取り付けられ、常時において閉弁状態を保持する。
また、取付け管と防臭装置の本体部との間隙はスペーサー体Ｔによって密封されている。
すなわち、本スペーサ体Ｔの内腔部２は密接状態となり、かつは本体部１はそれ自体のスポンジ態様により一定の抗力を保持しつつ体積収縮をなすものであるので、良好な密封作用を発揮する。
排水作用
本防臭装置は上記の状態で取付け管内に取り付けられ、流水の流入時において排水作用をなす。
本防臭装置の回りのスペーサ体Ｔは、防臭装置の本体部と取付け管との間隙を塞ぎ、水密性を保持し、当該部位での滞留水も、逸出水（漏水）もない。
更には、本防臭装置の本体部は取付け管の下方へ押し付けられ、偏心した状態となり、流水の排水作用は促進される。
【０００６】
本発明の第２は、第１発明と同じくスペーサ体付き下水道管渠用防臭装置に係り（以下「第２発明」という）、請求項２に記載のとおり、
下水道管渠用枡の排水口に接続される取付け管内に挿入設置され、該取付け管の内径よりも小径の外径の短い直円筒体を基体とし、該直円筒体の前端及び後端の上半分は管軸に対して直交して切頭されるとともに後端の下半分は管軸に斜めに切頭され、かつ、該直円筒体の後端には前記下水道管渠用枡の排水口に係合する係止部が一体に配され、該直円筒体の内部に常時において弾性をもって押圧付勢し流水の流下のみを許す閉弁付勢手段を備えた弁体が付加されてなる防臭装置において、
前記円筒体の前端より後端の下半分に至る長さにわたって該円筒体の外周に、前記取付け管との隙間を塞ぐ円環状のスペーサ体が嵌合装着され、
前記スペーサ体は、柔軟で容易に圧縮を受け、かつ水密性のスポンジ素材よりなり、
前記スペーサ体の内周径は、前記円筒体の軸芯と一致するとともに該円筒体の外径に等しく、
前記スペーサ体の外周面は、後端において取付け管の径よりも大きな直径を有し、その中心を上方に偏心され、該外周面の径は、後端より前端に至るにつれ変化して変断面形状をなすテーパー状を採り、かつ、
(i) 下端部は前記内周径に対して等厚を保ち、
(ii)その余の部位は後端より前端に至るにつれ漸次縮径され、
該外周面には、軸方向に平行する複数の溝が周方向に凹設されてなる、
ことを特徴とする。
本第２発明は以下の第２実施形態に具体的に示される。
上記構成において、
１．本体部の素材はスポンジ態様が採用され、特にはＥＰＤＭスポンジが採用されること、
２．溝は周方向にはぼ半円を超えて形成されること、
は適宜採択される技術的事項である。
【０００７】
（作用）
装着操作
本スペーサ体Ｔ１を装着した下水道管渠用防臭装置を下水道管渠用枡の取付け管内へ挿入し、該防臭装置の本体部の押込みにより、当該スペーサ体Ｔ１の本体部４の径方向断面の大部分は取付け管の断面よりも大きいので、取付け管の内壁との弾圧作用により本体部１は縮径作用を受ける。
溝部５によりこの縮径作用は円滑になされる。
また、外側面４ａの円形断面は上方に偏心したものとなっているので、上方から下方への圧縮作用がなされる。
本体部１の弾性圧縮はそれ自体のスポンジ態様により一定の抗力を保持しつつ体積収縮をなす。
この結果、防臭装置の本体部はスペーサ体Ｔ１を介して取付け管内で下方へ押し付けられ、取付け管との隙間は密封状に閉塞される。
閉弁作用・防臭作用
本防臭装置は傾斜角度をなす取付け管内に所定の状態で取り付けられ、常時において閉弁状態を保持する。
また、取付け管と防臭装置の本体部との間隙はスペーサー体Ｔ１によって密封されている。すなわち、本スペーサ体Ｔ１の本体部４はそれ自体のスポンジ態様により一定の抗力を保持しつつ体積収縮をなすものであるので、良好な密封作用を発揮する。
排水作用
本防臭装置は上記の状態で取付け管内に取り付けられ、流水の流入時において排水作用をなす。
本防臭装置の回りのスペーサ体Ｔ１は、防臭装置の本体部と取付け管との間隙を塞ぎ、水密性を保持し、当該部位での滞留水も、逸出水（漏水）もない。
更には、本防臭装置の本体部は取付け管の下方へ押し付けられ、偏心した状態となり、流水の排水作用は促進される。
【発明の効果】
【０００８】
本発明の第１・第２発明のスペーサ体付き下水道管渠用防臭装置によれば、取付け管への装着作業に際して本スペーサ体のテーパー効果により挿入操作が容易で、かつその変断面効果により取付け管の下方へ押し付けられ、浮き上がり作用もなく、自動的に取付け管の底部に接近させることができ、作業効果が向上する。
取付け後は、防臭装置は常時に閉弁状態を維持し、防臭作用をなすとともに、流水の流入に対しても確実に対処できる。
同時に、本スペーサ体は柔軟かつ圧縮性の水密性素材よりなるので、防臭装置の本体部と取付け管との間隙を圧縮状に密実に塞ぎ、良好な水密性を発揮し、当該部位での滞留水も、逸出水（漏水）もない。
更には、本スペーサ体の変断面効果により、防臭装置の本体部の流水部は取付け管の下方へ押し付けられ、偏心した状態となり、流水の排水作用は促進される。
【発明を実施するための最良の形態】
【０００９】
本発明の下水道管渠用枡の取付け管に挿入設置される下水道管用防臭装置におけるスペーサ体の実施の形態を図面に基づいて説明する。
（第１実施形態）
図１はその一実施形態（第１実施形態）のスペーサ体Ｔが装着される下水道管用防臭装置Ｓを示す。すなわち、図１〜図３は本スペーサ体Ｔの適用される下水道管用防臭装置Ｓの全体の構成を示し、図４〜図５はスペーサ体Ｔの詳細構成を示す。以下の説明において、流水の流下方向にみて、下流側を前方とし、上流側を後方とする。
【００１０】
下水道管用防臭装置Ｓ（図１〜図３参照）
防臭装置Ｓは、本体部１０を主体とし、該主体部１０には閉弁付勢機構を有する弁体を備え、着脱式の係止部１１が付置されるとともに、更に本スペーサ体Ｔが装備されることを特徴とする。
本防臭装置Ｓは更に、本体部１０が可及的短尺とされ、取付け管への取付け距離の短縮化を図り得る特徴的な構成を採る。
【００１１】
本体部１０（図１〜図３参照）
本体部１０は、円筒体を基体とするとともに後部に配される係止部１１の取付け体となり、該円筒体内に所定の弁体すなわち付勢力を付加された枢着式開閉弁が配されてなる。
すなわち、該本体部１０は、基体をなす円筒体１３と、該円筒体１３内に円筒管軸O に対して所定の角度αをもって横断的に配される隔壁１４と、該隔壁１４に装備される閉弁付勢機構付き弁体１５とを含む。
【００１２】
（円筒体１３）
円筒体１３は、所定厚の直円筒体を基本的構成とし、外径が取付け管の内径よりも空隙を存して配される小径とされる。そして、円筒体１３の前後長Ｌは可及的短いものとされる。
円筒体１３の前端は管軸Ｏに対して直交して切頭され、後端は概ね管軸Ｏの上半分は前端と平行し、下半分は管軸Ｏに斜めに切頭される。該円筒体１３の外側面の前端部及び中間部にはスペーサ体Ｔの取付け用の突条１７（前部突条１７ａ，後部突条１７ｂ）が突設されるが、これらは適宜省略できる
【００１３】
（隔壁１４）
隔壁１４は、円筒体１３内の両側及び上面に管軸Ｏに対して所定の角度（本実施形態ではα）をもって横断的に配され、弁体１５の位置を決めるとともに、弁体１５の閉弁により流体（流水、臭気）の遮断をなす。
該隔壁１４は所定厚を有し、上方部１４ａと両側部１４ｂとにより門形をなし、該門形内に矩形状の開口１４ｃを形成する。該開口１４ｃの底部は円筒体１３の内面となり、曲面形状となる。開口１４ｃはいわゆる「弁口」をなす。
【００１４】
（閉弁付勢機構付き弁体１５）
閉弁付勢機構付き弁体１５は弁体部１８と閉弁付勢手段１９とからなり、円筒体１３内において、弁体部１８が隔壁１４の前面に被さる態様をもって、閉弁位置において隔壁１４の開口１４ｃを密閉状に塞いで配される。
((弁体部１８))
本弁体部１８は実質的に所定厚の平板体をなし、上部の取付け部１８ａ、下部の弁本体部１８ｂ、取付け部１８ａと該弁本体部１８ｂとの間に水平に形成されるヒンジ部としてのＶ溝１８ｃから一体的に形成される。該取付け部１８ａは隔壁１４の上方部１４ａに当接され、１又は複数箇所（本実施形態では３）に対称を保って、適宜の固定具２０（例えばボルト・ナット体）をもって固定される。隔壁１４及び弁体部１８（１８ａ）には該固定具２０を装着するためのボルト挿通孔が開設される。
しかして、弁本体部１８ｂは隔壁１４の側部１４ｂに当接され、Ｖ溝１８ｃを介して開閉動作をなす。
上記の機能を発揮する弁体部１８として、適宜の硬度と弾性を有する合成樹脂材よりなり、Ｖ溝１８ｃはヒンジとして機能し、特にポリプロピレン樹脂においてはヒンジ効果（当該部に熱処理される。）が期待される。
また、円筒体１３及び隔壁１４の素材はＡＢＳ樹脂が好適なものとして採用される。
【００１５】
((閉弁付勢手段１９))（図１、図２参照）
閉弁付勢手段１９は弁体部１８の幅方向に１又は複数（本実施形態では１）、かつ対称を保持してＶ溝１８ｃに跨がって配され、弁本体部１８ｂを所定の付勢力により隔壁１４の側部１４ｂの前面すなわち弁座に押し当て、その閉弁機能を保持する。
もっと詳しくは、本閉弁付勢手段１９は弾性を有する素材をもって取付け用基部１９ａとばね部１９ｂとの一体からなり、該取付け用基部１９ａのボルト挿通孔を介して適宜の取付け手段（ボルト・ナット、埋込みボルト、接着剤など）をもって弁体部１８の上部の取付け部１８ａに取り付けられる。本実施形態では該取付け手段は先の固定具２０が兼用される。ばね部１９ｂは本閉弁付勢手段１９の機能部をなし、弁体部１８のＶ溝１８ｃを跨いで配され、断面形状において円弧状をなし、その厚さは先端に至るにつれ低減される。また、ばね部１９ｂの円弧部の先端は、自然状態（すなわち無負荷状態）で、取付け用基部１９ａの延長線よりも突出する。
該閉弁付勢手段１９は平面形状で先細状をなす。しかし、この態様に限定されない。該閉弁付勢手段１９の厚さおよび幅変化は弾性力の調整に寄与する。
また、該閉弁付勢手段１９の素材は、特性（ばね弾性値、耐久性加工性、経済性、腐食性など）の関係からポリプロピレン樹脂（ＰＰ）、ポリ塩化ビニル樹脂（ＰＶＣ）、ＡＢＳ樹脂が採用されるが、特に限定されず、他のばね特性を有する素材であれば、他の合成樹脂、金属などを採用することができる。
【００１６】
しかして、本閉弁付勢手段１９は、自然状態すなわち無負荷状態ではばね部１９ｂの先端は取付け用基部１９ａの延長線よりも突出するものであり、定常状態では、そのばね部１９ｂにおいてたわみ変形を受けて弾性をもって弁体部１９の弁本体部１９ｂの上面に当接し、閉弁を保持する。したがって、該閉弁付勢手段１９は常時の無流水時は弁体部１８を押圧付勢し閉弁状態を保持する。換言すれば、強制閉弁作用をなす。
【００１７】
係止部１１（図１〜図３参照）
係止部１１は、円筒体１３の後端に配され、本防臭装置Ｓの取付け管への装着において管口に係合し、該防臭装置Ｓの取付け位置を決める。本実施形態では上方係止部１１Ａと側方係止部１１Ｂとの２態様を採り、両態様とも着脱可能となっている。
（上方係止部１１Ａ）
上方係止部１１Ａは、円筒体１３の後端上部より腕部が後方へ一体的に延設され、該腕部に穿設されたねじ孔２２に係止体２３が螺合されてなる。
係止体２３は円柱体（図例では円錐台状）をなし、根本部にはねじ孔２２に螺合するねじ部２３ａを有し、内部には貫通状の内孔２３ｂが形成される。該内孔２３ｂは適宜省略できる。
該上方係止部１１Ａは、本防臭装置Ｓの取付け管への装着において排水口の上部に係合する。
（側方係止部１１Ｂ）
側方係止部１１Ｂは、円筒体１３の後端の両側においてねじ孔２４が穿設され、該ねじ孔２４に係止体２５が螺合されてなる。
本実施形態では、ねじ孔２４は円筒体１３の中心軸平面より若干下方に設けられるが、この態様に限らず、中心面上、また中心面より若干上方に設けられることを妨げるものではない。
該係止体２５の構成は、上方係止部１１Ａの係止体２３の構成に準じ、ねじ部２５ａ、内孔２５ｂを有する。
該側方係止部１１Ｂは、本防臭装置Ｓの取付け管への装着において、管口の両側部又は片側部に係合する。
【００１８】
スペーサー体Ｔ（図４〜図７参照）
本発明のスペーサ体Ｔは、前方に向けてテーパー状の変断面をなす円環体よりなり、叙上の下水道管用防臭装置Ｓにおける本体部１０の円筒体１３の外周に密着状に被嵌され、使用において圧縮作用を受けて該防臭装置Ｓと設置対象の取付け管との隙間を閉塞する。
【００１９】
本実施形態におけるスペーサ体Ｔの構成を詳細に説明する。
図４、図５は本スペーサ体Ｔの自然状態（非圧縮状態）における状態を示す。  このスペーサ体Ｔは、円環状をなし所定の柔軟性・圧縮性及び水密性を有する本体部１と、該本体部１の内部に形成される内腔部２とからなる。
【００２０】
本体部１
本体部１は、前後長Ｍの円環体をなし、断面が外側面１ａ、内周面１ｂ、前端面１ｃ、後端面１ｄよりなり、自然状態（非圧縮状態）で、断面積が円周方向に向けて変断面をなす。
内周面１ｂにおいて、その内径Ｄ１は円筒体１３の外径と同一の一定径とされる。したがって、内周面１ｂの円中心Ｏ１と円筒体１３の円中心Ｏとは一致する。
外側面１ａは、外径Ｄ２を有する円形断面をなし、後端より前端に至るにつれ、外径Ｄ２を漸次縮径する。
詳しくは、後端においては、その円中心Ｏ２は内周面１ｂの円中心Ｏ１より最大の偏心距離Δ１だけ上方へ偏心し、下端では内周面１ｂと一定の肉厚を保持する。当該円中心の偏心量は前方に至るにつれ漸次縮小し、前端においては、円中心Ｏ２’は内周面１ｂの円中心Ｏ１と合致する。外側面１ａの外径Ｄ２は前端部分を除いて、取付け対象となる取付け管の内径より十分な大きさを保持する。
【００２１】
内腔部２
内腔部２は、外周径Ｄ３と内周径Ｄ４とから前後長すなわち奥行Ｎをもって、本体部１の後端面１ｄより外周径Ｄ３を漸次縮径する空洞状に形成される変断面空間をなす。該内腔部２はまた、円周方向に半円（１８０°）より若干大きく形成される。すなわち、図例（図５）では約２００°をなす。
詳しくは、本体部１の後端面１ｄにおいて、外周径Ｄ３の円中心Ｏ３は内周面１ｂの円中心Ｏ１より一定距離Δ２だけ上方に偏心し、Δ２＜Δ１の関係を採る。また、その外周径Ｄ３は外側面１ａの外径Ｄ２に対して一定の肉厚を保持するように、Ｄ３＞Ｄ２の関係を採るとともに、前方に至るにつれ径を縮小する。
奥行Ｎにおいて、外周径Ｄ３の円中心Ｏ３’は内周面１ｂの円中心Ｏ１に合致する。
また、内周径Ｄ４は、内周面１ｂの円中心Ｏ１に合致し、内周面１ｂの内径Ｄ１に対して一定の肉厚を保持するように、一定径を採る。
【００２２】
叙上の本体部１及び内腔部２の寸法関係は一例示であり、本体部１の外側面１ａの変断面性、内腔部２の空洞の形成を保持し、その余の要素（例えば、偏心量Δ１, Δ２、円中心Ｏ２, Ｏ３の軸方向への傾斜角度）は実質的に本発明の目的を達成する範囲内で改変されうる。
【００２３】
図６は本スペーサ体Ｔの円周方向の各断面を示し、(a) は頂上部（０°、円中心Ｏ１を基準とする。以下同じ）の断面構造、(b) は頂上部より３０°の断面構造、(c) は頂上部より６０°の断面構造、(d) は頂上部より９０°すなわち水平部の断面構造を示す。
図から明らかなように、頂上部より角度が変わるにつれて断面が変化し、また、内腔部２の断面も変わる。
【００２４】
介装体Ｒ（図７参照）
図７に示すようにスペーサ体Ｔの内腔部２に適宜に介装体Ｒが装入され、スペーサ体Ｔの本体部１の圧縮性の調整がなされる。
該介装体Ｒは円弧状の等厚の等断面体よりなるもの、或いは厚さの変化する変断面体の２態様を採る。Ｒの幅は内腔Ｒ２の奥行Ｎを採る。
【００２５】
スポンジ態
該スペーサー体Ｔの素材は、柔軟性を有し、かつ水密性のある発泡体（スポンジ）が選ばれる。そのような素材として、クロロプレーンスポンジ、ＥＰＤＭ製スポンジがある。
本実施形態では、ＥＰＭ又はＥＰＤＭ（エチレンとプロピレン又はエチレンとプロピレンと第３成分の共重合物）スポンジが好適なものとして採用される。特には、ＥＰＤＭを半連続気泡状態に発泡させて柔軟で弾性のあるスポンジとしたＥＰＤＭ半連泡フォームが推奨される。このＥＰＤＭ半連泡フォームによれば、摩擦抵抗が大きく滑り止め効果が発揮でき、防臭装置Ｓの本体部１０との把持力が期待される。
なお、介装体Ｒも同じ素材が採用される。
【００２６】
諸元
本実施形態の下水道管用防臭装置Ｓ及びスペーサ体Ｔの諸元の一例を示す。
下水道管用防臭装置Ｓの円筒体１３につき、その内径１２３ｍｍ、外径１３０ｍｍ、前後長Ｌ８２ｍｍと腕部との合計長１１０ｍｍを採る。
これに対応して、スペーサ体Ｔについては、内周径は１３０ｍｍ、外周径は最大外径は１６０ｍｍを採る。偏心距離Δ１は９ｍｍ、Δ２は６ｍｍを採る。前後長Ｍは５０ｍｍ、内腔２の前後長Ｎは３５ｍｍを採る。
【００２７】
スペーサ体Ｔの装着
本スペーサ体Ｔは弾性を有し、本スペーサ体Ｔの内周面１ｂの径Ｄ１を強制力をもって拡大して防臭装置Ｓの本体部１０の円筒体１３に嵌め込む。強制力を除くと自然状態に復帰し、内周面１ｂは円筒体１３に密嵌する。
【００２８】
（本実施形態の作用）
叙上の構成よりなるスペーサ体Ｔを装着した防臭装置Ｓは、所期の状態で下水道管渠用枡の取付け管に対して取り付けられ、また、所期の排水・防臭作用並びに密封作用を発揮する。
【００２９】
下水道管渠用枡Ｍ（図９参照）
図９は本発明の実施される下水道管渠用枡Ｍ及び該下水道管渠用枡Ｍの取付け管への下水道管用防臭装置Ｓの取付けを示す。
図９に示されるように、下水道管渠用枡Ｍは、側壁体１００と底盤１０２とにより上方に開口する容器部としての本体部が構成され、該開口に取水孔１０４を有する蓋体１０６が載置される。側壁体１００の上縁及び蓋体１０６は道路面Ｈに面一にされ、道路面Ｈからの雨水・汚水を取水孔１０４を介して該枡Ｍの本体部内に導入する。
本枡Ｍの本体部の底盤１０２は地盤Ｉを掘削した孔底に敷設された割栗石Ｊ・均しコンクリートＫ上に載置される。
本枡Ｍの側壁体１００には底盤１０２に接して、あるいは若干の高さを存して排水口（管口）１０８が開設され、該排水口１０８より取付け管１１０が取り付けられ、下水道本管Ｐへ導かれる。本取付け管１１０は水平に対し傾斜角βをもって設置される。
【００３０】
取付け
本防臭装置Ｓの下水道管渠用枡Ｍへの取付け作業において、本防臭装置Ｓには予めスペーサ体Ｔが既述の要領で装着され、また、取付け管１１０の排水口１０８に対する係止部１１（１１Ａ，１１Ｂ）が取り付けられる。
下水道管渠用枡Ｍの開口より本防臭装置Ｓを挿入し、本防臭装置Ｓの本体部１０を取付け管１１０の排水口１０８に臨ませ、該本体部１０を取付け管１１０の設置角度βに対応して該取付け管１１０内に挿入する。
この本体部１０の取付け管１１０内への押込みにおいて、適宜の操作器具を介して、あるいは介さずに手作業でなされる。
取付け管１１０は所定の設置角度βで下方に傾斜し、該本体部１０に装着されたスペーサ体Ｔの外側面１ａは前方へ向け、テーパー状となっており、この挿入操作を円滑になす。
更なる本体部１０の押込みにより、当該スペーサ体Ｔの本体部１の径方向断面の大部分は取付け管１１０の断面よりも大きいので、取付け管１１０の内壁との弾圧作用により本体部１は縮径作用を受ける。内腔部２によりこの縮径作用は円滑になされる。また、外側面１ａの円形断面は上方に偏心したものとなっているので、上方から下方への圧縮作用がなされる。内腔部２も同じく上方部位の空間が大きくなっているので、この作用を促進させる。本体部１の弾性圧縮は内腔部２の空間を閉塞し、更にはそれ自体のスポンジ態様により一定の抗力を保持しつつ体積収縮をなす。この結果、防臭装置Ｓの本体部１０はスペーサ体Ｔを介して取付け管１１０内での下方へ押し付けられ、取付け管１１０との隙間は密封状に閉塞される。
本体部１０を更に押し込み、係止部１１の係止体２３，２５は排水口１０８に係合する。これにより、本防臭装置Ｓは所定位置に取り付けられる。
【００３１】
閉弁作用・防臭作用
本防臭装置Ｓは傾斜角度βをなす取付け管１１０内に所定の状態で取り付けられ、常時において閉弁状態を保持する。
すなわち、本体部１０において、弁体１５の弁体部１８は傾斜状態αをもって隔壁１４の開口１４ｃを閉塞する。この閉弁作用は閉弁付勢手段１９の付勢作用、すなわち弁体部１８の弁本体部１８ｂへの押付け力により密閉性を保持し、妄動はない。
また、取付け管１１０と防臭装置Ｓの本体部１０との間隙はスペーサ体Ｔによって密封されている。
すなわち、本スペーサ体Ｔの内腔部２は密接状態となり、かつ本体部１はそれ自体のスポンジ態様により一定の抗力を保持しつつ体積収縮をなすものであるので、良好な密封作用を発揮する。
そして、取付け管１１０の設置角度βが急傾斜をなし、本防臭装置Ｓの隔壁１４の角度が鉛直を超えるとき、閉弁付勢手段１８の付勢作用により弁体１５は確実に弁座に当接され、弁口１４ｃを塞ぎ、閉弁作用を持続する。
この弁体１５の閉弁により、下水道本管Ｐからの臭気は遮断される。
【００３２】
排水作用
本防臭装置Ｓは上記の状態で取付け管１１０内に取り付けられ、流水の流入時において排水作用をなす。
今、降雨があったとき、雨水が雨水枡Ｍに流れ込み、排水口１０８まで上昇し、取付け管１１０より防臭装置Ｓを介して下水道本管Ｐへ排出される。
流水は防臭装置Ｓの円筒体１３内に流入し、その水圧をもって閉弁付勢手段１９による弁体部１８への付勢力に抗して弁体部１８を開き、流下する。この作用は、弁体部１８が常態の傾斜角度を保持する場合においても、また、弁体部１８が９０°を超える場合においても同様である。
本防臭装置Ｓの回りのスペーサ体Ｔは、防臭装置Ｓの本体部１０と取付け管１１０との間隙を塞ぎ、水密性を保持し、当該部位での滞留水も、逸出水（漏水）もない。
更には、本体部１０は取付け管１１０の下方へ押し付けられ、偏心した状態となり、流水の排水作用は促進される。
【００３３】
（本実施形態の効果）
本実施形態のスペーサ体Ｔを装着した防臭装置Ｓによれば、取付け管１１０への装着作業に際して本スペーサ体Ｔのテーパー効果により挿入操作が容易で、かつその変断面効果により取付け管１１０の下方へ押し付けられ、浮き上がり作用もなく、自動的に取付け管１１０の底部に着底し、作業効果が向上する。また、係止筒１１が排水口１０８に係止して挿入操作が停止し、本防臭装置Ｓは所定位置に簡便に取り付けられる。
取付け後は、常時に閉弁状態を維持し、防臭作用をなすとともに、流水の流入に対しても確実に対処できる。すなわち、本防臭装置Ｓがどのような傾斜をもって取付け管１１０内に配されたとしても、特には弁体が鉛直を超える状態となるとき、本閉弁付勢手段の付勢作用により弁体は確実に閉弁作用を発揮する。
同時に、本スペーサ体Ｔは、柔軟かつ圧縮性の水密性素材よりなるので、防臭装置Ｓの本体部１０と取付け管１１０との間隙を圧縮状に密実に塞ぎ、良好な水密性を発揮し、当該部位での滞留水も、逸出水（漏水）もない。
更には、本スペーサ体Ｔの変断面効果により、流水部をなす本体部１０は取付け管１１０の下方へ押し付けられ、偏心した状態となり、流水の排水作用は促進される。
【００３４】
（第２実施形態）
本発明の他の実施形態（第２実施形態）のスペーサ体を図８に示す。
本スペーサ体Ｔ１においては、内腔態様を採らず、第１実施形態と同等の作用・効果が得られる態様を示す。
図８はその構成の一例を示すものであって、図において先の実施形態と同等の部材については同一の符号が付される。
【００３５】
図において、４は本体部であって、その素材はスポンジ態を採り、第１実施形態の本体部１と同等であり、その説明は省略する。
本体部４は、断面が外側面４ａ、内周面４ｂ、前端面４ｃ、後端面４ｄよりなり、自然状態（非圧縮状態）で断面積が円周方向に向けて変断面をなすことにおいて、第１実施形態のスペーサ体Ｔと変わりはない。しかし、内腔部を持たず中実である点、外側面４ａに複数の溝５が形成されてなる点、前端面４ｃが丸みを持つ点で第１実施形態のスペーサ体Ｔと構成が相違する。
【００３６】
詳しくは、内周面４ｂにおいて、その内径Ｄ１は円筒体１３の外径と同一の一定径とされ、該内周面４ｂの円中心Ｏ１と円筒体１３の円中心Ｏとは一致する。  また、外側面４ａは、外径Ｄ２を有する円形断面をなし、後端より前端に至るにつれ、外径Ｄ２を漸次縮径する。後端においては、その円中心Ｏ２は内周面４ｂの円中心Ｏ１より上方へ最大の偏心距離Δ１だけ偏心し、下端では内周面４ｂと一定の肉厚を保持する。当該円中心の偏心量は前方に至るにつれ漸次縮小し、前端においては、円中心Ｏ２’は内周面１ｂの円中心Ｏ１と合致する。外側面４ａの外径Ｄ２は前端部分を除いて、取付け対象となる取付け管の内径より十分に大きな径を保持する。
以上の構成は、第１実施形態のスペーサ体Ｔと変わりはない。
【００３７】
以下、第１実施形態のスペーサ体Ｔと相違する構成について述べる。
（溝５）
溝５は、断面が浅い半円状をなし、本体部４の外側面４a に円周方向に約半周（２００°）にわたって形成される。該溝５は複数（５ａ，５ｂ，５ｃ）よりなり（本実施形態では３）、軸方向に平行して形成される。この複数の溝５ａ，５ｂ，５ｃにより本体部４の均質な体積収縮が保障され、圧縮性が促進される。
（前端面４ｃ）
前端面４ｃは、丸みをもって形成され、比較的大きな曲率半径を採ることにより本体部４の前後長が短くなり、また、防臭装置の挿入を円滑にする。しかし、この態様に限定されず、第１実施形態のスペーサ体Ｔと同様のテーバー形状を採ることもできる。
【００３８】
（本スペーサ体Ｔ１の作用・効果）
本スペーサ体Ｔ１は、その作用・効果において、先の実施形態のスペーサ体Ｔに準じるものである。
取付け
下水道管渠用枡Ｍの開口より本スペーサ体Ｔ１を装着した本防臭装置Ｓを挿入し、本防臭装置Ｓの本体部１０を取付け管１１０の排水口１０８に臨ませ、該本体部１０を取付け管１１０の設置角度βに対応して該取付け管１１０内に挿入する。
取付け管１１０は所定の設置角度βで下方に傾斜し、該本体部１０に装着されたスペーサＴ１の外側部４ａは前方へ向け、テーパー状となっており、かつ前端面４ｃは丸みをなし、この挿入操作を円滑になす。
更なる本体部１０の押込みにより、当該スペーサ体Ｔ１の本体部４の径方向断面の大部分は取付け管１１０の断面よりも大きいので、取付け管１１０の内壁との弾圧作用により本体部４は縮径作用を受ける。溝５により均質な体積収縮がなされ、この縮径作用は円滑になされる。また、外側面４ａの円形断面は上方に偏心したものとなっているので、上方から下方への圧縮作用がなされる。本体部１はそれ自体のスポンジ態様により一定の抗力を保持しつつ体積収縮をなす。この結果、防臭装置Ｓの本体部１０はスペーサ体Ｔ１を介して取付け管１１０内での下方へ押し付けられ、取付け管１１０との隙間は密封状に閉塞される。
本体部１０を更に押し込み、係止部１１の係止体２３，２５は排水口１０８に係合する。これにより、本防臭装置Ｓは所定位置に取り付けられる。
【００３９】
閉弁作用・防臭作用
本防臭装置Ｓは傾斜角度βをなす取付け管１１０内に所定の状態で取り付けられ、常時において閉弁状態を保持する。
また、取付け管１１０と防臭装置Ｓの本体部１０との間隙はスペーサ体Ｔ１によって密封されている。すなわち、本スペーサ体Ｔ１の本体部４はそれ自体のスポンジ態様により一定の抗力を保持しつつ体積収縮をなすものであるので、良好な密封作用を発揮する。
【００４０】
排水作用
本防臭装置Ｓは上記の状態で取付け管１１０内に取り付けられ、流水の流入時においてその本体部１０を介して排水作用をなす。
本防臭装置Ｓの回りのスペーサ体Ｔ１は、防臭装置Ｓの本体部１０と取付け管１１０との間隙を塞ぎ、水密性を保持し、当該部位での滞留水も、逸出水（漏水）もない。
更には、流水部をなす本体部１０は取付け管１１０の下方へ押し付けられ、偏心した状態となり、流水の排水作用は促進される。
【００４１】
本発明は叙上の実施の形態にのみ限定されるものではなく、本発明の基本的技術思想の範囲内で種々設計変更が可能である。
【図面の簡単な説明】
【００４２】
【図１】本発明のスペーサ体の装着される一実施形態の下水道管渠用防臭装置の全体を示す縦断面構成図（図２の１−１線断面図）。
【図２】本防臭装置の背面図（図１、図３の２方向矢視図）。
【図３】本防臭装置の平面図（図１、図２の３方向矢視図）。
【図４】スペーサ体の縦断面図（図５の４−４線断面図）。
【図５】スペーサ体の背面図（図４の５方向矢視図）。
【図６】スペーサ体の各部分断面図。
【図７】介装体の縦断面図。
【図８】本発明の他の実施形態のスペーサ体の断面図。
【図９】本発明の適用される下水道管渠用枡部の全体を示す断面構成図。
【符号の説明】
【００４３】
Ｔ，Ｔ１…スペーサ体、Ｒ…介装体、Ｓ…下水道管路用防臭装置、Ｍ…下水道管路用枡、１，４…本体部、１ａ, ４ａ…外側面（外周面）、１ｂ, ４ｂ…内周面、１ｃ, ４ｃ…前端面, １ｄ, ４ｄ…後端面、２…内腔部、５…溝、１０…防臭装置の本体部、１１…係止部、１3 …円筒体、１５…弁体
【図１】
0005091690.tif 000002
【図２】
0005091690.tif 000003
【図３】
0005091690.tif 000004
【図４】
0005091690.tif 000005
【図５】
0005091690.tif 000006
【図６】
0005091690.tif 000007
【図７】
0005091690.tif 000008
【図８】
0005091690.tif 000009
【図９】
0005091690.tif 000010